(57)【要約】【課題】、水耕栽培に関する知識の乏しいものであっても水耕栽培を容易に行うことが可能であり、製造コストの低廉な水耕栽培セットを提供する。【解決手段】水耕栽培用容器１内に苗床２と、苗床２を水耕栽培用容器１上に固定するための苗床固定具３と、発芽マット４と、空気供給装置と、水温計６と、水位計７と、複数種類の植物の種子と、肥料と、取扱説明書とが収められている。水耕栽培用容器１の上面は蓋１０によって閉められており、透明なフィルムによって包装されている。植物の種子は育種方法のガイダンスとともに包装されている。【選択図】図２
0003103311.tif 000002
【実用新案登録請求の範囲】
【請求項１】
水の漏らない水耕栽培用容器と、所定の間隔で多数の貫通孔が設けられた苗床と、該苗床を該水耕栽培用容器上に固定するための苗床固定具と、該苗床に設けられた貫通孔に嵌合可能であってスポンジ状で浸水性に富む発芽マットと、該水耕栽培用容器に満たされた水の中へ空気を送るための空気供給装置と、植物の種子と、肥料と、取扱説明書とが備えられており、該苗床と、該苗床固定具と、該発芽マットと、該エアポンプを有する空気供給装置と、該植物の種子と、該肥料と、該取扱説明書とが該水耕栽培用容器に収容されていることを特徴とする水耕栽培セット。
【請求項２】
さらに水温計及び水位計の少なくとも一つが水耕栽培用容器内に収容されていることを特徴とする請求項１記載の水耕栽培セット。
【請求項３】
発芽マットには上下に貫通する切込が設けられていることを特徴とする請求項１又は２記載の水耕栽培セット。
【請求項４】
エアポンプは、水耕栽培容器の外に設置されることを特徴とする請求項１乃至３のいずれか１項記載の水耕栽培用セット。
【請求項５】
植物の種子は育種方法のガイダンスとともに包装されていることを特徴とする請求項１乃至４のいずれか１項記載の水耕栽培セット。
【考案の詳細な説明】
【技術分野】
【０００１】
本考案は、栽培技術の素養のない人でも容易に水耕栽培を行うことができる水耕栽培セットに関するものである。
【背景技術】
【０００２】
水耕栽培は土を使わないで植物を育てる技術であり、通常の土を使用した栽培と比較して次のような多くの利点を有している。すなわち、（１）根の発達に使われる養分を茎や葉の成長にまわすことができるため、成長スピードが速く、収穫量も多い。（２）土を使わないため、雑草が生え難く、除草剤の散布を不要とすることができる。（３）害虫の住家となる土が存在しないため、殺虫剤の使用量が少ない。（４）豊富な養分を与えることができるため、おいしくて栄養のある植物を育てることができる。
【０００３】
このため、水耕栽培を行うための装置が開発され（例えば特許文献１参照）、トマトやカイワレ大根等多くの植物が水耕栽培によって大規模に栽培されている。
【特許文献１】実開平５−５３４５７号公報
【０００４】
さらに、最近では、農薬等による汚染のない、安全な植物を栽培するための技術として、水耕栽培に関心が持たれている。このように水耕栽培に対する社会的関心が高まるにつれ、家庭の庭やベランダで、水耕栽培によって安全で清潔な野菜やハーブ等を育ててみたいという個人の愛好家も増えている。また、学校や家庭内において、自然の仕組みを学ぶための環境教育資材として用いられたり、室内装飾を目的とした、いわゆるインテリアグリーンとして用いられたりしている。
【考案の開示】
【考案が解決しようとする課題】
【０００５】
しかし、水耕栽培では、植物が必要とする養分の全てを水に溶かして与えることが必要であり、植物の成長に必要な酸素も水の中に供給しなければならない等、高度な栽培技術を必要とする。このため、専門的な知識がないと、うまく栽培することは困難である。また、水耕栽培を行うためには、水耕栽培用の容器、苗床、発芽マット、空気供給装置等、多くの器具が必要となり、個人の愛好家がこれらをすべてそろえることは難しい。
【０００６】
また、水耕栽培用容器、苗床、発芽マット、空気供給装置等の水耕栽培に必要な器具は、流通過程においてそれぞれ別個に包装されており、それらの包装に要する費用が製造コストの高騰化を招来していた。
【０００７】
本考案は、上記従来の実情に鑑みてなされたものであり、水耕栽培に関する知識の乏しいものであっても水耕栽培を容易に行うことが可能であり、製造コストの低廉な水耕栽培セットを提供することを解決すべき課題とする。
【課題を解決するための手段】
【０００８】
本考案の水耕栽培セットは、水の漏らない水耕栽培用容器と、所定の間隔で多数の貫通孔が設けられた苗床と、該苗床を該水耕栽培用容器上に固定するための苗床固定具と、該苗床に設けられた貫通孔に嵌合可能であってスポンジ状で浸水性に富む発芽マットと、該水耕栽培用容器に満たされた水の中へ空気を送るための空気供給装置と、植物の種子と、肥料と、取扱説明書とが備えられており、該苗床と、該苗床固定具と、該発芽マットと、該エアポンプを有する空気供給装置と、該植物の種子と、該肥料と、該取扱説明書とが該水耕栽培用容器に収容されていることを特徴とする。
【０００９】
本考案の水耕栽培セットでは、水耕栽培に最低限必要とされる、水耕栽培用容器、苗床、苗床固定具、発芽マット、空気供給装置、植物の種子及び肥料が備えられているため、水耕栽培に関して専門的な知識を有しない個人の愛好家等であっても、容易に水耕栽培に必要な器具をすべてそろえることができる。
【００１０】
また、これらの器具を組み立てる方法や水耕栽培の方法等を説明した取扱説明書も備えられているため、迷うことなく水耕栽培を行うことが可能となる。
【００１１】
さらに、苗床、発芽マット、空気供給装置等の水耕栽培に必要な器具は、水耕栽培用容器に収容されているため、それらの器具を別個に包装する必要がない。このため包装に要するコストの削減が可能となる。
【００１２】
したがって、本考案の水耕栽培セットによれば、水耕栽培に関する知識の乏しいものであっても水耕栽培を容易に行うことができ、製造コストの低廉化が可能となる。
【００１３】
本考案の水耕栽培セットでは、さらに水温計及び水位計の少なくとも一つが水耕栽培用容器内に収容されていることが好ましい。こうであれば、水温計や水位計を水耕栽培用容器内に設置することにより、水耕栽培容器内に満たされる水の温度の管理や水位の管理が可能となり、さらに適切な条件下での水耕栽培が可能となる。
【００１４】
発芽マットには上下に貫通する切込が設けられていることが好ましい。こうであれば、切込に播種することにより、発芽した種子から伸びる茎や根を妨げることなく成長させることができる。
【００１５】
また、エアポンプは、水耕栽培容器の外に設置されることが好ましい。こうであれば、エアポンプへの浸水によって電気系統の故障が生ずることを防ぐことができる。また、漏電による感電や火災等の事故を防止することもできる。
【００１６】
さらに、植物の種子は育種方法のガイダンスとともに包装されていることも好ましい。こうであれば、種類によって施肥方法等、育て方が大きく異なる植物の育種方法を間違うおそれが少なくなる。
【考案を実施するための最良の形態】
【００１７】
以下、本考案を具体化した実施形態１及び実施形態２を図面を参照しつつ説明する。
【００１８】
（実施形態１）
実施形態１の水耕栽培セットは、図１に示すように、直方体容器形状のリサイクルプラスチックからなる水耕栽培用容器１の上面が蓋１０によって閉められた状態とされており、全体は図示しない透明なフィルムで包まれている。水耕栽培用容器１の内部には、図２及び図３に示す、リサイクルプラスチック又はエコプラスチックからなる板形状の苗床２と、苗床２を水耕栽培用容器１上に固定するための苗床固定具３と、ウレタンスポンジ製の発芽マット４と、エアポンプ５と、固定用の吸盤のついた水温計６と、水位計７とが収められている他、図示しない複数種類の植物の種子、肥料及び取扱説明書が収められている。植物の種子は育種方法のガイダンスとともに包装されている。
【００１９】
苗床２には、縦横等間隔で凹部２ａが設けられており、凹部２ａの底には水耕栽培用容器１内部と外部とを連通する円形の孔２ｂが設けられている。苗床固定具３は略コの字形状とされており、両端が僅かに長さ方向へ突出しており、水耕栽培用容器１に架けることが可能であり、さらに苗床２を載置することが可能とされている。図４にも示すように、発芽マット４は凹部２ａより少し大きめの略立方体形状とされており、上面から下面に達する切込４ａが設けられている。エアポンプ５は水耕栽培用容器１の外側壁面に図示しない固定金具、粘着テープ、脱着可能なマジックテープ等によって固定可能とされており、エアチューブ５ａを介して水耕栽培用容器１内に設置されるエアノズル５ｂに接続されている。エアポンプ５とエアチューブ５ａとエアノズル５ｂとが空気供給装置である。
【００２０】
以上のように構成された実施形態の水耕栽培セットを使用する場合、使用者は水耕栽培用容器１及び蓋１０を包んでいるフィルムを破り、蓋１０を開ける。そして、取扱説明書を見ながら、空気供給装置、水温計６及び水位計７を水耕栽培用容器１の所定の位置に設置する。そして、水耕栽培用容器１に苗床固定具３を架け、その上に苗床２を載置する。さらに、発芽マット４を苗床２の凹部２ａに嵌合させてから、水耕栽培用容器１内に水を満たす。そして、複数種類の植物の種子から育てたい種子を選び、ガイダンスを見ながら発芽マット４の切込４ａに播種し、必要量の肥料を与え、さらに、水温計６や水位計７によって、育種環境を最適な状態に保ち、水耕栽培を行う。
【００２１】
上記実施形態の水耕栽培セットでは、水耕栽培に必要とされる器具や消耗品が水耕栽培用容器１内に全て収容されており、取扱説明書もその中に入っているため、水耕栽培に関して専門的な知識を有しない個人の愛好家等であっても、容易に水耕栽培セットを組み立てることができる。そして、植物の種子の包装に一緒に入っているガイダンスによって、その植物に適した水耕栽培方法の知識を得ることができる。さらに水温計６及び水位計７によって、水の温度の管理や水位の管理が可能となり、適切な条件下での水耕栽培が可能となる。また、発芽マット４には上下に貫通する切込４ａが設けられているため、発芽した種子から伸びる茎や根を妨げることなく成長させることができる。また、苗床２、発芽マット４、空気供給装置５等の水耕栽培に必要な器具は、水耕栽培用容器１に収容されているため、それらの器具を別個に包装する必要がなく、製造コストが低廉となる。
【００２２】
（実施形態２）
実施形態２の水耕栽培セットは、図５に示すように、水耕栽培用容器１１の下面の四隅に凸部１１ａが設けられており、蓋２０の上面には凸部１１ａと嵌合する凹部２０ａが設けられている。その他の構成は図２及び図３に示す実施形態１の水耕栽培セットと同様であり、同一の構成については同一の符号を付して詳細な説明を省略する。
【００２３】
以上のように構成された実施形態２の水耕栽培セットは、水耕栽培用容器１１の下面の凸部１１ａを蓋２０の上面の凹部２０ａに嵌合させることにより、整然と積み重ねることができ、ズレ落ちたりし難くなる。他の作用効果は実施形態１の水耕栽培セットと同様である。
【産業上の利用可能性】
【００２４】
水耕栽培に関する知識の乏しいものであっても水耕栽培を容易に行うことが可能な水耕栽培セットを低廉な製造コストで製造することができる。
【図面の簡単な説明】
【００２５】
【図１】実施形態１の水耕栽培セットの斜視図である。
【図２】実施形態１の水耕栽培セットを組み立てた場合の模式断面図である。
【図３】実施形態１の水耕栽培セットを組み立てた場合の模式平面図である。
【図４】実施形態１にかかる発芽マットの斜視図である。
【図５】実施形態２にかかる水耕栽培セットを積み重ねた状態の部分断面図である。
【符号の説明】
【００２６】
１、１１…水耕栽培用容器
２…苗床
３…苗床固定具
４…発芽マット
５、５ａ、５ｂ…空気供給装置（エアポンプ５、エアチューブ５ａ、エアノズル５ｂ）
６…水温計
７…水位計
４ａ…切込
【図１】
0003103311.tif 000003
【図２】
0003103311.tif 000004
【図３】
0003103311.tif 000005
【図４】
0003103311.tif 000006
【図５】
0003103311.tif 000007